(57)【特許請求の範囲】
【請求項１】
直流電力を交流電力に変換するインバータと、前記インバータの出力から高調波成分を除去するＬＣフィルタを備えた系統連系インバータ装置であって、
系統連系リレーを介して商用系統と連系すべく、所定周波数の基準信号及び商用系統電圧が入力され当該商用系統電圧の位相を検知する第１のＰＬＬ回路を備え、前記第１のＰＬＬ回路で検知した商用系統電圧の位相を基準に前記インバータから所定の有効電流指令値及び無効電流指令値に対応する電流が出力されるように前記インバータをフィードバック制御する系統連系運転制御部と、
前記基準信号及び自立系統電圧が入力され当該自立系統電圧の位相を検知する第２のＰＬＬ回路を備え、自立系統リレーを介して商用系統とは異なる自立系統の負荷に給電すべく、前記第２のＰＬＬ回路で検知した自立系統電圧の位相を位相成分とする自立系統電圧指令値に対応する電圧が前記インバータから出力されるように前記インバータをフィードバック制御する自立運転制御部と、
前記第１のＰＬＬ回路で検知した商用系統電圧の位相と前記第２のＰＬＬ回路で検知した自立系統電圧の位相との位相差が零になるように前記自立系統電圧指令値の位相成分をフィードバック制御する位相整合部と、商用系統電圧と自立系統電圧の最大値の差分が零になるように前記自立系統電圧指令値の振幅成分をフィードバック制御する振幅整合部とを備え、系統連系運転時に前記系統連系リレー及び自立系統リレーを開放した状態で、前記自立系統電圧指令値の位相成分を前記第２のＰＬＬ回路で検知した位相に設定するとともに振幅成分を所定の固定値に設定して前記自立運転制御部を起動した後に、前記自立系統電圧指令値を前記位相整合部及び振幅整合部でフィードバック制御された自立系統電圧指令値に設定し、前記自立運転制御部により制御される自立系統電圧の振幅及び位相が商用系統電圧の振幅及び位相と整合すると、前記インバータの制御を前記系統連系運転制御部に切り替え、前記系統連系リレーを接続する運転モード切替部と、
を備えている系統連系インバータ装置。
【請求項２】
前記運転モード切替部は、前記自立系統電圧の振幅、位相及び周波数と商用系統電圧の振幅、位相及び周波数の各差分が所定の閾値以下になると前記整合状態に到ったと判断して、前記系統連系運転制御部による系統連系運転制御に切り替えるように構成されている請求項１記載の系統連系インバータ装置。
【請求項３】
前記運転モード切替部は、前記インバータと商用系統とを接続する系統連系リレーを挟む両側の交流電圧の振幅、位相及び周波数の各差分が所定の閾値以下になると前記整合状態に到ったと判断して、前記系統連系リレーの接点を接続するように構成されている請求項２記載の系統連系インバータ装置。
【請求項４】
前記運転モード切替部は、前記自立系統電圧の振幅、位相及び周波数と商用系統電圧の振幅、位相及び周波数の各差分の何れかが所定時間経過しても所定の閾値以下にならない場合に故障と判定する故障判定部を備えている請求項２または３記載の系統連系インバータ装置。
【請求項５】
前記運転モード切替部は、前記自立系統電圧の振幅、位相及び周波数と商用系統電圧の振幅、位相及び周波数の各差分の何れかが所定時間経過しても所定の閾値以下にならない場合に故障判定カウンタを更新して、前記自立系統電圧の振幅、位相及び周波数を商用系統電圧と整合する処理を繰返し、前記故障判定カウンタの値が所定値になると故障と判定する故障判定部を備えている請求項２または３記載の系統連系インバータ装置。
【請求項６】
直流電力を交流電力に変換するインバータと、前記インバータの出力から高調波成分を除去するＬＣフィルタを備えた系統連系インバータ装置の系統連系運転起動方法であって、
系統連系リレーを介して商用系統と連系すべく、所定周波数の基準信号及び商用系統電圧が入力される第１のＰＬＬ回路で検知した商用系統電圧の位相を基準に前記インバータから所定の有効電流指令値及び無効電流指令値に対応する電流が出力されるように前記インバータをフィードバック制御する系統連系運転制御ステップと、
自立系統リレーを介して商用系統とは異なる自立系統の負荷に給電すべく、前記基準信号及び自立系統電圧が入力される第２のＰＬＬ回路で検知した自立系統電圧の位相を位相成分とする自立系統電圧指令値に対応する電圧が前記インバータから出力されるように前記インバータをフィードバック制御する自立運転制御ステップと、
前記第１のＰＬＬ回路で検知した商用系統電圧の位相と前記第２のＰＬＬ回路で検知した自立系統電圧の位相との位相差が零になるように前記自立系統電圧指令値の位相成分をフィードバック制御する位相整合ステップと、商用系統電圧と自立系統電圧の最大値の差分が零になるように前記自立系統電圧指令値の振幅成分をフィードバック制御する振幅整合ステップとを備え、系統連系運転時に前記系統連系リレー及び自立系統リレーを開放した状態で、前記自立運転制御ステップを起動した後に、前記自立系統電圧指令値を前記位相整合ステップ及び振幅整合ステップでフィードバック制御された自立系統電圧指令値に設定する電圧整合ステップを実行し、前記電圧整合ステップにより制御される自立系統電圧の振幅及び位相が商用系統電圧の振幅及び位相と整合すると、前記インバータの制御を前記系統連系運転制御ステップに切り替え、前記系統連系リレーを接続する運転モード切替ステップと、
を備えている系統連系インバータ装置の系統連系運転起動方法。
【請求項７】
前記運転モード切替ステップは、前記電圧整合ステップで前記自立系統電圧の振幅、位相及び周波数と商用系統電圧の振幅、位相及び周波数の各差分が所定の閾値以下になると、前記系統連系運転制御ステップに切り替えるように構成されている請求項６記載の系統連系インバータ装置の系統連系運転起動方法。
【請求項８】
前記運転モード切替ステップは、前記インバータと商用系統とを接続する系統連系リレーを挟む両側の交流電圧の振幅、位相及び周波数の各差分が所定の閾値以下になると前記整合状態に到ったと判断して、前記系統連系リレーの接点を接続するように構成されている請求項７記載の系統連系インバータ装置の系統連系運転起動方法。
【請求項９】
前記運転モード切替ステップは、前記自立系統電圧の振幅、位相及び周波数と商用系統電圧の振幅、位相及び周波数の各差分の何れかが所定時間経過しても所定の閾値以下にならない場合に故障と判定する故障判定ステップを備えている請求項７または８記載の系統連系インバータ装置の系統連系運転起動方法。
【請求項１０】
前記運転モード切替ステップは、前記自立系統電圧の振幅、位相及び周波数と商用系統電圧の振幅、位相及び周波数の各差分の何れかが所定時間経過しても所定の閾値以下にならない場合に故障判定カウンタを更新して、前記自立系統電圧の振幅、位相及び周波数を商用系統電圧と整合する処理を繰返し、前記故障判定カウンタの値が所定値になると故障と判定する故障判定ステップを備えている請求項７または８記載の系統連系インバータ装置の系統連系運転起動方法。
【請求項１１】
直流電力を交流電力に変換するインバータと、前記インバータの出力から高調波成分を除去するＬＣフィルタと、自立運転モードと系統連系運転モードの何れかに切替可能な制御部を備えて構成された系統連系インバータ装置であって、系統連系運転モードが選択されると、前記制御部が請求項６から１０の何れかに記載の系統連系インバータ装置の系統連系運転起動方法を実行するように構成されている系統連系インバータ装置。
【請求項１２】
直流電力を交流電力に変換するインバータと、前記インバータの出力から高調波成分を除去するＬＣフィルタを備えた系統連系インバータ装置であって、
ＬＣフィルタを構成するコンデンサ及び系統連系リレー接点の劣化を回避するために請求項６から１０の何れかに記載の系統連系インバータ装置の系統連系運転起動方法を実行する制御部を備えている系統連系インバータ装置。
【発明の詳細な説明】
【技術分野】
【０００１】
本発明は、系統連系インバータ装置及び系統連系インバータ装置の系統連系運転起動方法に関する。
【背景技術】
【０００２】
太陽電池パネルによる直流発電電力および電力貯蔵装置の直流充放電電力を合わせて、直流電力を交流電力に変換して商用系統と連系するため系統連系インバータ装置が組み込まれた蓄電ハイブリッドパワーコンディショナを備えている。
【０００３】
当該系統連系インバータ装置は、インバータと、インバータの出力から高調波成分を除去するＬＣフィルタと、商用系統と連系してインバータを制御する系統連系運転制御部と、商用系統と切り離してインバータを制御する自立運転制御部とを備えている。
【０００４】
商用系統に停電等の異常が生じて解列した状態で、商用系統の交流負荷とは異なる自立系統の特定負荷に給電するために自立運転制御部が設けられている。
【０００５】
このような系統連系インバータ装置を用いて商用系統と連系する場合、ＬＣフィルタを構成するコンデンサの劣化及び系統連系リレー接点の劣化を回避するため、商用系統から当該コンデンサへの突入電流を抑制する必要がある。特に太陽電池パネルを用いる場合には、商用系統との連系及び解列が毎日一度は繰り返されるため、その必要性が高い。
【０００６】
特許文献１には、系統連系インバータの交流出力端が、少なくとも分路接続のフィルタコンデンサを含む出力フィルタおよび開閉器を介して系統に接続される系統連系インバータ装置であって、開閉器を開放した状態でフィルタコンデンサをインバータにより系統電圧よりほぼ９０°進んだ電流で充電し、フィルタコンデンサを系統電圧とほぼ同電圧値・同位相にした後、開閉器を投入して連系運転するように構成された系統連系インバータ装置が提案されている。
【０００７】
特許文献２には、インバータの出力側に備えられたコンデンサの突入電流防止回路として抵抗とスイッチの並列回路を備え、パワーコンディショナの制御部は、インバータを停止させ、かつ、コンデンサよりも電力系統側に備えられる系統連系用リレー接点を短絡させて、スイッチの接点を短絡状態と開放状態とに切り換える制御を行い、その切り換え前後のパワーコンディショナの出力電流の値に基づいてスイッチの故障診断を行う制御構成を備えたパワーコンディショナが提案されている。
【０００８】
特許文献３には、コンデンサに直列に配置された突入電流抑制抵抗及び突入電流抑制抵抗と並列に配置された突入電流抑制抵抗短絡用開閉器を備えたＬＣフィルタと、ＬＣフィルタでフィルタリングされた交流電力を交流系統電源へ出力する系統連系開閉器と、突入電流抑制抵抗短絡用開閉器の制御状態およびフィルタからの出力電流の変化に基づいて、突入電流抑制抵抗短絡用開閉器の故障を判定する制御装置とを備えた電力変換器が開示されている。
【０００９】
特許文献４には、直流電力が生じる直流電源又は直流電力にて駆動される直流負荷と、３相交流電力が流れる電力系統との間に設けられ、相互間で直流−交流変換又は交流−直流変換を行うスイッチング回路を備えた電力変換装置であって、直流電源又は前記直流負荷と前記スイッチング回路との接続を図る接続スイッチと、前記スイッチング回路と前記電力系統との接続を図る連系スイッチと、前記接続スイッチと前記スイッチング回路との間において前記直流電力を平滑化する直流側コンデンサと、前記スイッチング回路と前記連系スイッチとの間において所定周波数帯域の前記交流電力を通過させるためのフィルタ回路を構成するフィルタコンデンサとを備えるとともに、起動時に前記連系スイッチを介さずに入力される前記電力系統からの交流電力を整流して直流電力を生成し、生成した直流電力を充電抵抗を介して前記直流側コンデンサに供給して充電を行う初期充電回路を備え、前記起動時において先ず前記接続スイッチ及び前記連系スイッチをオフ状態として前記初期充電回路の整流動作による直流電力の生成と前記スイッチング回路の動作とを行って前記直流側コンデンサの充電、及び前記スイッチング回路を介しての前記フィルタコンデンサの充電を行い、次いで前記各コンデンサが所定充電電圧まで上昇すると前記スイッチング回路を一旦停止して前記直流側コンデンサを前記電力系統の整流電圧まで更に充電し、次いで前記スイッチング回路の停止時と同タイミングでの前記連系スイッチのオンによる前記スイッチング回路と前記電力系統との接続と、前記接続スイッチのオンによる前記直流電源又は前記直流負荷と前記スイッチング回路との接続と、前記スイッチング回路の動作の再開とを行って、前記直流電源又は前記直流負荷と前記電力系統との前記スイッチング回路を介した接続を図るべく制御する起動時制御手段を備えたことを特徴とする電力変換装置が開示されている。
【先行技術文献】
【特許文献】
【００１０】
【特許文献１】特開１９９７−２８０４０号公報
【特許文献２】特開２０１５−２７１４６号公報
【特許文献３】特開２０１５−２３６５０号公報
【特許文献４】特開２０１１−１９３６３３号公報
【発明の概要】
【発明が解決しようとする課題】
【００１１】
しかし、特許文献１に開示された系統連系インバータ装置では、コンデンサに流れる電流をインバータの定格電流の数％程度に制御する必要があり、そのための制御が非常に煩雑になるという問題や、その際に発生するコンデンサ電流の数％程度（インバータの定格電流の０．１〜０．０１％程度）の直流分でコンデンサが充電されるため、接点投入時に突入電流が流れるという問題もあった。そして、そのような直流分を放電させるために抵抗を設ける必要があり、部品点数の増加によりコストが上昇するという問題があった。
【００１２】
特許文献２，３に開示された構成によれば、突入電流防止回路に加えて、突入電流防止回路に備えた短絡用のスイッチの故障を検知する必要もあり、やはり部品点数の増加によるコスト上昇を招くという問題が解決されるような構成ではなかった。
【００１３】
特許文献４に開示された電力変換装置は、突入電流を防ぐために、先ず主回路の直流・交流側のコンデンサに充電し、所定電圧を超えると運転停止の処理を行なってから連系スイッチを投入して系統連系運転を行なうように構成されており、連系スイッチの投入時間のばらつきの発生が避けられず、想定している連系点とずれた場合には、交流側のフィルムコンデンサに印加された電圧が大きくなり、過電流が生じてインバータ装置の部品の破損を招く虞があった。
【００１４】
本発明の目的は、上述した問題点に鑑み、特段の突入電流防止回路を設けることなく、ＬＣフィルタを構成するコンデンサへの突入電流を抑制して系統連系可能な系統連系インバータ装置及び系統連系インバータ装置の系統連系運転起動方法を提供する点にある。
【課題を解決するための手段】
【００１５】
上述の目的を達成するため、本発明による系統連系インバータ装置の第一の特徴構成は、特許請求の範囲の書類の請求項１に記載した通り、直流電力を交流電力に変換するインバータと、前記インバータの出力から高調波成分を除去するＬＣフィルタを備えた系統連系インバータ装置であって、系統連系リレーを介して商用系統と連系すべく、所定周波数の基準信号及び商用系統電圧が入力され当該商用系統電圧の位相を検知する第１のＰＬＬ回路を備え、前記第１のＰＬＬ回路で検知した商用系統電圧の位相を基準に前記インバータから所定の有効電流指令値及び無効電流指令値に対応する電流が出力されるように前記インバータをフィードバック制御する系統連系運転制御部と、前記基準信号及び自立系統電圧が入力され当該自立系統電圧の位相を検知する第２のＰＬＬ回路を備え、自立系統リレーを介して商用系統とは異なる自立系統の負荷に給電すべく、前記第２のＰＬＬ回路で検知した自立系統電圧の位相を位相成分とする自立系統電圧指令値に対応する電圧が前記インバータから出力されるように前記インバータをフィードバック制御する自立運転制御部と、前記第１のＰＬＬ回路で検知した商用系統電圧の位相と前記第２のＰＬＬ回路で検知した自立系統電圧の位相との位相差が零になるように前記自立系統電圧指令値の位相成分をフィードバック制御する位相整合部と、商用系統電圧と自立系統電圧の最大値の差分が零になるように前記自立系統電圧指令値の振幅成分をフィードバック制御する振幅整合部とを備え、系統連系運転時に前記系統連系リレー及び自立系統リレーを開放した状態で、前記自立系統電圧指令値の位相成分を前記第２のＰＬＬ回路で検知した位相に設定するとともに振幅成分を所定の固定値に設定して前記自立運転制御部を起動した後に、前記自立系統電圧指令値を前記位相整合部及び振幅整合部でフィードバック制御された自立系統電圧指令値に設定し、前記自立運転制御部により制御される自立系統電圧の振幅及び位相が商用系統電圧の振幅及び位相と整合すると、前記インバータの制御を前記系統連系運転制御部に切り替え、前記系統連系リレーを接続する運転モード切替部と、を備えている点にある。
【００１６】
系統連系運転制御部により商用系統と連系する際に、運転モード切替部によって先ず自立運転制御部が起動されて自立運転が行なわれ、その後自立系統電圧の振幅、位相及び周波数が商用系統電圧の振幅、位相及び周波数と整合するように調整され、整合状態を維持して系統連系運転制御部による系統連系運転制御に切り替えられるので、商用系統との連系時にＬＣフィルタのコンデンサへの突入電流を抑制または回避できるようになる。さらに、系統連系リレーの寿命も延ばすことができる。
【００１７】
同第二の特徴構成は、同請求項２に記載した通り、上述の第一の特徴構成に加えて、前記運転モード切替部は、前記自立系統電圧の振幅、位相及び周波数と商用系統電圧の振幅、位相及び周波数の各差分が所定の閾値以下になると前記整合状態に到ったと判断して、前記系統連系運転制御部による系統連系運転制御に切り替えるように構成されている点にある。
【００１８】
自立系統電圧の振幅、位相及び周波数と、商用系統電圧の振幅、位相及び周波数との整合状態を、各振幅、各位相及び各周波数の差分で評価し、その値に閾値を設けることにより、商用系統と連系するまでの時間を短くしながらもＬＣフィルタのコンデンサへの突入電流を効果的に抑制することができるようになる。
【００１９】
同第三の特徴構成は、同請求項３に記載した通り、上述の第二特徴構成に加えて、前記運転モード切替部は、前記インバータと商用系統とを接続する系統連系リレーを挟む両側の交流電圧の振幅、位相及び周波数の各差分が所定の閾値以下になると前記整合状態に到ったと判断して、前記系統連系リレーの接点を接続するように構成されている点にある。
【００２０】
系統連系インバータ装置において、インバータと商用系統とを接続する系統連系リレーを挟む両側の交流電圧をモニタして整合状態に調整するので、系統連系リレーの接点を接続する場合に異常な放電等が生じることがなく、接点の劣化が回避できるようになる。
【００２１】
同第四の特徴構成は、同請求項４に記載した通り、上述の第二または第三の特徴構成に加えて、前記運転モード切替部は、前記自立系統電圧の振幅、位相及び周波数と商用系統電圧の振幅、位相及び周波数の各差分の何れかが所定時間経過しても所定の閾値以下にならない場合に故障と判定する故障判定部を備えている点にある。
【００２２】
各振幅の差分、各位相の差分及び各周波数の差分の何れかが所定時間経過しても所定の閾値以下にならない場合には故障していると判断され、系統連系運転制御に移行しないので、万一の重大な事態の発生も効果的に回避することができる。
【００２３】
同第五の特徴構成は、同請求項５に記載した通り、上述の第二または第三の特徴構成に加えて、前記運転モード切替部は、前記自立系統電圧の振幅、位相及び周波数と商用系統電圧の振幅、位相及び周波数の各差分の何れかが所定時間経過しても所定の閾値以下にならない場合に故障判定カウンタを更新して、前記自立系統電圧の振幅、位相及び周波数を商用系統電圧と整合する処理を繰返し、前記故障判定カウンタの値が所定値になると故障と判定する故障判定部を備えている点にある。
【００２４】
交流電圧の検出回路の故障や商用系統電圧の歪などの要因により、所定時間経過しても所定の閾値以下にならないと判断される場合等、本来的に整合可能な状態である場合に、整合処理を繰り返すことによって適正に整合されて系統連系できる機会を確保できるようになる。そして故障判定カウンタの値に閾値を設けることにより故障判定の確度を高めることができるようになる。
【００２５】
本発明による系統連系インバータ装置の系統連系運転起動方法の第一の特徴構成は、同請求項６に記載した通り、直流電力を交流電力に変換するインバータと、前記インバータの出力から高調波成分を除去するＬＣフィルタを備えた系統連系インバータ装置の系統連系運転起動方法であって、系統連系リレーを介して商用系統と連系すべく、所定周波数の基準信号及び商用系統電圧が入力される第１のＰＬＬ回路で検知した商用系統電圧の位相を基準に前記インバータから所定の有効電流指令値及び無効電流指令値に対応する電流が出力されるように前記インバータをフィードバック制御する系統連系運転制御ステップと、自立系統リレーを介して商用系統とは異なる自立系統の負荷に給電すべく、前記基準信号及び自立系統電圧が入力される第２のＰＬＬ回路で検知した自立系統電圧の位相を位相成分とする自立系統電圧指令値に対応する電圧が前記インバータから出力されるように前記インバータをフィードバック制御する自立運転制御ステップと、前記第１のＰＬＬ回路で検知した商用系統電圧の位相と前記第２のＰＬＬ回路で検知した自立系統電圧の位相との位相差が零になるように前記自立系統電圧指令値の位相成分をフィードバック制御する位相整合ステップと、商用系統電圧と自立系統電圧の最大値の差分が零になるように前記自立系統電圧指令値の振幅成分をフィードバック制御する振幅整合ステップとを備え、系統連系運転時に前記系統連系リレー及び自立系統リレーを開放した状態で、前記自立運転制御ステップを起動した後に、前記自立系統電圧指令値を前記位相整合ステップ及び振幅整合ステップでフィードバック制御された自立系統電圧指令値に設定する電圧整合ステップを実行し、前記電圧整合ステップにより制御される自立系統電圧の振幅及び位相が商用系統電圧の振幅及び位相と整合すると、前記インバータの制御を前記系統連系運転制御ステップに切り替え、前記系統連系リレーを接続する運転モード切替ステップと、を備えている点にある。
【００２６】
同第二の特徴構成は、同請求項７に記載した通り、上述の第一の特徴構成に加えて、前記運転モード切替ステップは、前記電圧整合ステップで前記自立系統電圧の振幅、位相及び周波数と商用系統電圧の振幅、位相及び周波数の各差分が所定の閾値以下になると、前記系統連系運転制御ステップに切り替えるように構成されている点にある。
【００２７】
同第三の特徴構成は、同請求項８に記載した通り、上述の第二の特徴構成に加えて、前記運転モード切替ステップは、前記インバータと商用系統とを接続する系統連系リレーを挟む両側の交流電圧の振幅、位相及び周波数の各差分が所定の閾値以下になると前記整合状態に到ったと判断して、前記系統連系リレーの接点を接続するように構成されている点にある。
【００２８】
同第四の特徴構成は、同請求項９に記載した通り、上述の第一または第二の特徴構成に加えて、前記運転モード切替ステップは、前記自立系統電圧の振幅、位相及び周波数と商用系統電圧の振幅、位相及び周波数の各差分の何れかが所定時間経過しても所定の閾値以下にならない場合に故障と判定する故障判定ステップを備えている点にある。
【００２９】
同第五の特徴構成は、同請求項１０に記載した通り、上述の第一または第二の特徴構成に加えて、前記運転モード切替ステップは、前記自立系統電圧の振幅、位相及び周波数と商用系統電圧の振幅、位相及び周波数の各差分の何れかが所定時間経過しても所定の閾値以下にならない場合に故障判定カウンタを更新して、前記自立系統電圧の振幅、位相及び周波数を商用系統電圧と整合する処理を繰返し、前記故障判定カウンタの値が所定値になると故障と判定する故障判定ステップを備えている点にある。
【００３０】
本発明による系統連系インバータ装置の第六の特徴構成は、同請求項１１に記載した通り、直流電力を交流電力に変換するインバータと、前記インバータの出力から高調波成分を除去するＬＣフィルタと、自立運転モードと系統連系運転モードの何れかに切替可能な制御部を備えて構成された系統連系インバータ装置であって、系統連系運転モードが選択されると、前記制御部が上述した第一から第五の何れかの特徴構成を備えた系統連系インバータ装置の系統連系運転起動方法を実行するように構成されている系統連系インバータ装置。
【００３１】
本発明による系統連系インバータ装置の第七の特徴構成は、同請求項１２に記載した通り、直流電力を交流電力に変換するインバータと、前記インバータの出力から高調波成分を除去するＬＣフィルタを備えた系統連系インバータ装置であって、ＬＣフィルタを構成するコンデンサ及び系統連系リレー接点の劣化を回避するために上述した第一から第五の何れかの特徴構成を備えた系統連系インバータ装置の系統連系運転起動方法を実行する制御部を備えている点にある。
【発明の効果】
【００３２】
以上説明した通り、本発明によれば、特段の突入電流防止回路を設けることなく、ＬＣフィルタを構成するコンデンサへの突入電流を抑制して系統連系可能な系統連系インバータ装置及び系統連系インバータ装置の系統連系運転起動方法を提供することができるようになった。
【図面の簡単な説明】
【００３３】
【図１】本発明による系統連系インバータ装置が組み込まれた蓄電ハイブリッドパワーコンディショナの回路構成図
【図２】本発明による系統連系インバータ装置の系統連系運転時および自立運転時の制御ブロック構成図
【図３】本発明による系統連系インバータ装置の系統連系運転起動方法の制御ブロック構成図
【図４】起動処理の制御フローチャート
【図５】本発明による系統連系インバータ装置の系統連系運転起動方法の実験結果の説明図
【発明を実施するための形態】
【００３４】
以下、本発明による系統連系インバータ装置及び系統連系インバータ装置の系統連系運転起動方法を図面に基づいて説明する。
図１には、分散型電源の一例である蓄電ハイブリッド発電装置１００が示されている。蓄電ハイブリッド発電装置１００は太陽電池パネルＳＰ、太陽電池パネルＳＰおよび電力貯蔵装置ＢＡＴが直流リンク電圧で接続され、蓄電ハイブリッドパワーコンディショナＰＣを備えて構成されている。
【００３５】
当該パワーコンディショナＰＣは、太陽電池パネルＳＰで発電された直流電圧を所定の直流リンク電圧Ｖｄｃに昇圧するＤＣ／ＤＣコンバータ１Ａと、自然エネルギーを活用する電力貯蔵装置ＢＡＴを用いて，双方向ＤＣ／ＤＣコンバータ１Ｂを介して，充放電できる系統連系インバータ装置２を備えている。
【００３６】
系統連系インバータ装置２の出力端子には、商用系統電源ｅＧｒｉｄに接続するための系統連系リレーＳＧｒｉｄと、自立系統の特定負荷ＺＬｏａｄに給電するための自立系統リレーＳｓｔｄが分岐接続されている。
【００３７】
系統連系インバータ装置２は、ＤＣ／ＤＣコンバータ１Ａ，１Ｂから供給される直流電力を交流電力に変換するインバータ２Ａと、インバータ２Ａを制御するインバータ制御装置２Ｂと、インバータ２Ａの出力から高調波成分を除去するＬＣフィルタ２Ｃ等を備えている。ＬＣフィルタ２ＣはリアクトルＬｆとコンデンサＣｆで構成されるローパスフィルタとして機能する。
【００３８】
インバータ制御装置２Ｂは、商用系統と連系してインバータ２Ａを制御する系統連系運転制御部２１と、商用系統と切り離してインバータを制御する自立運転制御部２３と、自立運転制御部２３を起動した後にインバータ２Ａの出力電圧の振幅、位相及び周波数を商用系統電圧と整合するように調整し、整合状態を維持して系統連系運転制御部による系統連系運転制御に切り替える運転モード切替部（運転モード切替スイッチＳｗ）２２と、実際にインバータ２Ａを構成するスイッチング素子Ｓ１，Ｓ２，Ｓ３，Ｓ４を制御するＰＷＭ制御部２４を備えている。
【００３９】
インバータ制御装置２Ｂは、直流リンク電圧Ｖｄｃ、インバータ２Ａの出力電流ｉｉｎｖ、商用系統電圧ｅｕｗ、自立系統電圧ｅｓｄ等の入力信号に基づいてインバータ２ＡをＰＷＭ制御するための制御演算を実行するマイクロコンピュータ及び入出力回路等を備えて構成されている。
【００４０】
図２には、系統連系運転制御部２１と運転モード切替部（運転モード切替スイッチＳｗ）２２と自立運転制御部２３の各制御ブロックの要部が示されている。
系統連系運転制御部２１は、商用系統電圧ｅｕｗから商用系統電圧の位相θｕｗを求めるＰＬＬ回路２１Ａと、当該位相θｕｗ及び有効電流指令値Ｉ＊ｐに基づいて有効電流成分を生成する有効電流生成部２１Ｂと、当該位相θｕｗ及び無効電流指令値Ｉ＊ｑに基づいて無効電流成分を生成する無効電流生成部２１Ｃと、系統連系電流制御部２１Ｄを備えている。
【００４１】
系統連系運転時の電流制御部２１Ｄは、有効電流生成部２１Ｂで生成された有効電流成分及び無効電流生成部２１Ｃで生成された無効電流成分を加算して得られるインバータ出力電流指令値ｉ＊ｉｎｖと、直流リンク電圧Ｖｄｃと、フィードバック信号であるインバータ出力電流ｉｉｎｖとから、インバータ出力電流ｉｉｎｖがインバータ出力電流指令値ｉ＊ｉｎｖになるようにフィードバック演算を行ない、ＰＷＭ制御のためのデューティ比ｄａを算出するように構成されている。
【００４２】
自立運転制御部２３は、自立系統電圧指令値ｅ＊ｓｄと、フィードバック信号である自立系統電圧ｅｓｄとから、インバータ出力電流指令値ｉ＊ｉｎｖを算出する自立電圧制御部２３Ａと、インバータ出力電流指令値ｉ＊ｉｎｖとフィードバック信号であるインバータ出力電流ｉｉｎｖとからとから、インバータ出力電流ｉｉｎｖが電流指令値ｉ＊ｉｎｖになるようにフィードバック演算を行ない、ＰＷＭ制御のためのデューティ比ｄｂを算出するように構成されている。尚、自立系統電圧指令値ｅ＊ｓｄは、自立系統電圧指令値の最大値Ｅ＊ｓｄ.ｍａｘ、位相角θxとして以下の数式〔数１〕で定められる。
【数１】
0005969094.tif 000002
【００４３】
運転モード切替部（運転モード切替スイッチＳｗ）２２は、系統連系運転制御部２１から出力されたデューティ比ｄａをＰＷＭ制御部２４に出力するか、自立運転制御部２３から出力されたデューティ比ｄｂをＰＷＭ制御部２４に出力するかを切り替える切替回路Ｓｗを備えている。
【００４４】
図４には、起動処理の制御シーケンスが示されている。運転モード切替部２２は、先ず系統連系リレーＳＧｒｉｄと自立系統リレーＳＳｔｄをオフ（初期には本来的にオフされている）し、運転モードのスイッチＳｓｄを１の位置にするとともに切替回路Ｓｗを自立運転制御部２３側に切り替えて、自立運転制御部２３を起動する（Ｓ１）。
【００４５】
自立運転制御部２３によって、インバータ２Ａに対する自立系統電圧指令値ｅ＊ｓｄが徐々に上昇するように設定され、例えば１秒前後の時間をかけて自立系統電圧ｅｓｄが徐々に立ち上がり、自立系統電圧の最大値の指令値Ｅｃｓｔに達するまで、ソフトスタート制御が実行される（Ｓ２）。このとき、自立系統電圧ｅｓｄ及び電流ｉｉｎｖがソフトスタートのプログラムに従って処理されることにより、ＬＣフィルタ２ＣのコンデンサＣｆには大きな突入電流が生じることが無い。
【００４６】
インバータ２Ａが定常状態に立ち上がると運転モード切替部２２によって運転モードが選択される（Ｓ３）。系統連系運転モードでは、運転モードのスイッチＳｓｄが０の位置に設定され（Ｓ４）、インバータ２Ａの出力電圧の振幅、位相及び周波数が商用系統電圧と整合するように制御され（Ｓ５）、所定時間内に整合されると（Ｓ６，Ｓ７）、切替回路Ｓｗを系統連系運転制御部２１側に切り替え、故障判定回数カウンタの値をリセットするとともに（Ｓ８）、系統連系リレーＳＧｒｉｄをオンする（Ｓ９）。
【００４７】
所定時間内に整合されなかった場合には（Ｓ６）、故障が発生したと判定されて、故障判定回数カウンタの値がインクリメントされ（Ｓ１０）、故障判定回数カウンタの値が予め設定された値になると（Ｓ１１）、系統連系リレーＳＧｒｉｄをオンすることなく停止し（Ｓ１２）、その状態を報知するための警告処理が実行される（Ｓ１３）。故障判定回数カウンタの値が予め設定された値になるまでは（Ｓ１１）、再度整合処理を行なうための再起動処理が実行される（Ｓ１４）。
【００４８】
ステップＳ３で、自立運転モードと判断されると、自立系統リレーＳｓtｄがオンされ、自立系統の特定負荷立ＺＬｏａｄに給電される（Ｓ１５）。
【００４９】
故障判定に要する所定時間は特に限定されるものではなく、適宜設定すればよい。本実施形態では約１０秒に設定されている。また、故障判定回数カウンタの閾値、つまり故障判定回数も適宜設定すればよく、本実施形態では３回に設定されている。尚、運転停止処理に到る基準を厳格にする場合には、故障判定回数カウンタの閾値を１に設定すればよい。この場合、故障判定部は、自立系統電圧の振幅、位相及び周波数と商用系統電圧の振幅、位相及び周波数の各差分の何れかが所定時間経過しても所定の閾値以下にならない場合に直ちに故障と判定することになる。
【００５０】
運転モード切替部（運転モード切替スイッチＳｗ）２２は、上述した数式〔数１〕で示される自立系統電圧指令値ｅ＊ｓｄを調整することによりインバータ２Ａの出力電圧の振幅、位相及び周波数を商用系統電圧と整合するように構成されている。
【００５１】
図３を参照して、運転モード切替部２２により実行される自立系統電圧指令値ｅ＊ｓｄの調整アルゴリズムを説明する。
運転モードのスイッチＳｓｄが１の位置にあると、自立運転制御部２３が起動されて自立運転制御が実行される。自立系統電圧の位相角θｓｄは、自立系統電圧ｅｓｄ及び基本周波数ｆ０が入力される自立運転時のＰＬＬ回路１７によって求められる。基本周波数ｆ０は５０Ｈｚ／６０Ｈｚ等の固定値である。また、自立系統電圧の最大値Ｅ＊ｓｄ.ｍａｘは固定値Ｅｃｓｔに設定される。このような最大値及び位相角が数式〔数１〕に適用されて自立系統電圧指令値ｅ＊ｓｄが定められる。尚、固定値Ｅｃｓｔは上述したようにソフトスタートが実現されるように、所定の時間間隔で次第に上昇して一定値になるように設定される値で任意に値が変動するという性質でないため固定値と表現している。
【００５２】
このようにして自立運転制御部２３によってインバータ２Ａが定常状態に立ち上がると、次に運転モード切替部（運転モード切替スイッチＳｗ）２２により、運転モードのスイッチＳｓｄが０の位置に設定され、インバータ２Ａの出力電圧が商用系統電圧の振幅及び位相に整合するように制御される。
【００５３】
具体的に、位相整合ブロックでは、自立系統電圧ｅｓｄ及び基本周波数ｆ０が入力される自立運転時のＰＬＬ回路１７によって求められる位相角θｓｄと、商用系統電圧ｅｕｗ及び基本周波数ｆ０が入力される商用系統電圧調整用のＰＬＬ回路２１Ａによって求められる位相角θｕｗとの制御ブロックの入力の誤差の値Δeが零になるように商用系統電圧と自立系統電圧との位相差ΔφがＰＩ演算部によって算出され、位相差Δφと商用系統電圧の位相角θｕｗとの加算値が電圧整合時の出力電圧の位相角θｔとして出力される。ＰＩ演算部で実行される演算は、Ｋｐ＋１／ＳＴｉである。Ｋｐは比例ゲイン、Ｔｉは積分器の時定数である。
【００５４】
また、振幅整合ブロックでは、商用系統電圧の最大値Ｅｕｗ.ｍａｘと自立系統電圧の最大値Ｅｓｄ.ｍａｘの差分が零になるように比例制御部で比例演算され、ｋ次サンプリング周期の一つ前の自立系統電圧指令値Ｅ＊ｓｄ.ｍａｘ（ｋ−１）との加算値が現在の自立系統電圧指令値Ｅ＊ｓｄ.ｍａｘとして出力される。
【００５５】
これらの位相角θｔ及び自立系統電圧指令値Ｅ＊ｓｄ.ｍａｘが数式〔数１〕に適用されて自立系統電圧指令値ｅ＊ｓｄが定められ、自立電圧制御部２３Ａに入力される。尚、商用系統電圧の最大値Ｅｕｗ.ｍａｘ及び自立系統電圧の最大値Ｅｓｄ.ｍａｘは、商用系統周期Ｔｕｗを基準として以下の数式〔数２〕で算出される。
【数２】
0005969094.tif 000003
【００５６】
運転モード切替部（運転モード切替スイッチＳｗ）２２は、インバータ２Ａの出力電圧の振幅、位相及び周波数と商用系統電圧の振幅、位相及び周波数の各差分が、以下の数式〔数３〕で示されるように所定の閾値以下になると、系統連系運転制御部による系統連系運転制御に切り替えるように構成されている。
【００５７】
運転モード切替部２２は、数式〔数３〕を満たすと整合していると判定して、その制御状態を維持して、つまり瞬時に系統連系運転制御部２１による系統連系運転制御に切り替えるべく、系統連系リレーＳＧｒｉｄをオンする。尚、ｘは、０＜ｘ＜１の任意の値に設定可能であり、本実施形態ではｘ＝０．０３、つまり系統周波数ｆｕｗの±３％の範囲に設定されている。
【数３】
0005969094.tif 000004
【００５８】
即ち、インバータ２Ａの出力電圧の振幅、位相及び周波数と、商用系統電圧の振幅、位相及び周波数との整合状態を、各振幅の差分、各位相の差分及び各周波数の差分で評価し、その値に閾値を設けることにより、系統連系までの時間を短くしながらもＬＣフィルタのコンデンサへの突入電流を効果的に抑制することができるようになる。
【００５９】
また、図４のフローチャートで説明したように、運転モード切替部２２は、インバータ２Ａの出力電圧の振幅、位相及び周波数と商用系統電圧の振幅、位相及び周波数の各差分の何れかが所定時間経過しても所定の閾値以下にならない場合に故障と判定する故障判定部を備え、故障していると判断されると系統連系運転制御に移行しないので、万一の重大な事態の発生も効果的に回避することができるようになる。
【００６０】
以上説明したように、本発明による系統連系インバータ装置の系統連系運転起動方法は、直流電力を交流電力に変換するインバータと、インバータの出力から高調波成分を除去するＬＣフィルタを備えた系統連系インバータ装置の系統連系運転起動方法であって、商用系統と連系してインバータを制御する系統連系運転制御ステップと、商用系統と切り離してインバータを制御する自立運転制御ステップと、を含み、前記自立運転制御ステップを起動した後に前記自立運転制御ステップにおいて前記自立系統電圧の振幅、位相及び周波数を調整して商用系統電圧と整合させる電圧整合ステップを実行し、前記電圧整合ステップで得られた整合状態を維持して前記系統連系運転制御ステップに切り替える運転モード切替ステップと、を備えている。
【００６１】
また、運転モード切替ステップは、電圧整合ステップで自立系統電圧の振幅、位相及び周波数と商用系統電圧の振幅、位相及び周波数の各差分が所定の閾値以下になると、系統連系運転制御ステップに切り替えるように構成されている。
【００６２】
そして、運転モード切替ステップは、インバータと商用系統とを接続する系統連系リレーを挟む両側の交流電圧の振幅、位相及び周波数の各差分が所定の閾値以下になると整合状態に到ったと判断して、系統連系リレーの接点を接続するように構成されている。
【００６３】
さらに、運転モード切替ステップは、自立系統電圧の振幅、位相及び周波数と商用系統電圧の振幅、位相及び周波数の各差分の何れかが所定時間経過しても所定の閾値以下にならない場合に故障判定カウンタを更新して、自立系統電圧の振幅、位相及び周波数を商用系統電圧と整合する処理を繰返し、前記故障判定カウンタの値が所定値になると故障と判定する故障判定ステップを備えている。
【００６４】
図５には、図４に示す制御フローチャートに従って運転モード切替部を動作させた実験結果の特性図が示されている。系統連系リレーＳＧｒｉｄがオンされた直後にスムーズに系統連系運転が行なわれ、逆潮流電流ｉｓｐが徐々に増大する状態が示されている。本発明によれば、系統連系リレーＳＧｒｉｄをオンする瞬間に逆潮流電流ｉｓｐにスパイク状の突入電流が発生しないことが確認された。また、商用系統電圧の振幅、位相及び周波数を整合する制御方式を導入することにより、商用系統電圧ｅｕｗと自立系統電圧ｅｓｄとの位相差が無くなることが確認された。
【００６５】
尚、運転モード切替ステップは、自立系統電圧の振幅、位相及び周波数と商用系統電圧の振幅、位相及び周波数の各差分の何れかが所定時間経過しても所定の閾値以下にならない場合に、直ちに故障と判定する故障判定ステップを備えていてもよい。
【００６６】
上述した実施形態は、蓄電ハイブリッドパワーコンディショナに組み込まれた系統連系インバータ装置について説明したが、電力貯蔵装置ＢＡＴを備えていないパワーコンディショナに組み込まれた系統連系インバータ装置であっても本発明が適用可能であることはいうまでもない。また、太陽電池パネル以外の直流発電装置、例えば風力発電装置を備えたパワーコンディショナに組み込まれた系統連系インバータ装置であっても本発明が適用可能である。
【００６７】
上述の各実施形態は本発明による系統連系インバータ装置及び系統連系インバータ装置の系統連系運転起動方法の一例に過ぎず、各構成ブロックの具体的な構成（ハードウェアやソフトウェア）や各種の数値等は本発明による作用効果が奏される範囲で適宜変更設計することも可能であることはいうまでもない。
【符号の説明】
【００６８】
２：系統連系インバータ装置
２Ａ：インバータ
２Ｂ：インバータ制御装置
２Ｃ：ＬＣフィルタ
２１：系統連系運転制御部
２２：運転モード切替部
２３：自立運転制御部
【要約】
【課題】特段の突入電流防止回路を設けることなく、ＬＣフィルタを構成するコンデンサへの突入電流を抑制して系統連系可能な系統連系インバータ装置及び系統連系インバータ装置の系統連系運転起動方法を提供する。
【解決手段】直流電力を交流電力に変換するインバータ２Ａと、前記インバータ２Ａの出力から高調波成分を除去するＬＣフィルタ２Ｃを備えた系統連系インバータ装置であって、商用系統と連系して前記インバータを制御する系統連系運転制御部２１と、商用系統と切り離して前記インバータを制御する自立運転制御部２３と、前記自立運転制御部を起動した後に前記インバータの出力電圧の振幅、位相及び周波数を調整して商用系統電圧と整合させ、整合状態を維持して前記系統連系運転制御部による系統連系運転制御に切り替える運転モード切替部２２と、を備えている。
【選択図】図１【図１】
0005969094.tif 000005
【図２】
0005969094.tif 000006
【図３】
0005969094.tif 000007
【図４】
0005969094.tif 000008
【図５】
0005969094.tif 000009